(57)【要約】【課題】    ＣＤ、ＤＶＤ等の記録媒体であるディスク類のための収納ケースにおいて、比較的厚みのある収納物を収納可能で、収納物に対して衝撃を与えない引出し式の収納ケースを提供する。【解決手段】  収納物が収納されるケース本体部１と、ケース本体部１を開閉する蓋部２と、ケース本体部１に収納された収納物Ｄを保持し蓋部２の開閉動作に応動して収納物Ｄをケース本体部１に対して出没させる引出部３と、共通材である蓋部２，引出部３の間に設けられ引出部３を蓋部２に支持させる折線のヒンジ部４とを備えた収納ケースにおいて、ケース本体部１，引出部３の接触面の一方または双方にケース本体部１，引出部３の間にクリアランスＣを確保するスペーサ構造が設けられている。【選択図】  図１
2005088956.tif 000002
【特許請求の範囲】
【請求項１】
収納物が収納されるケース本体部と、ケース本体部を開閉する蓋部と、ケース本体部に収納される収納物を保持し蓋部の開閉動作に応動して収納物をケース本体部に対して出没させる引出部と、共通材である蓋部と引出部との間に設けられ引出部が蓋部に支持される折線のヒンジ部とを備えた収納ケースにおいて、
ケース本体部と引出部の接触面の一方または双方にケース本体部と引出部の間にクリアランスを確保するスペーサ構造が設けられていることを特徴とする収納ケース。
【請求項２】
請求項１記載の収納ケースにおいて、スペ−サ構造は引出部の先端面とケ−ス本体部の底面との間で突出するストッパであることを特徴とする収納ケ−ス。
【請求項３】
請求項２記載の収納ケースにおいて、ストッパは引出部の先端面を切り込みして突出される突片であることを特徴とする収納ケ−ス。
【請求項４】
請求項２または３記載の収納ケースにおいて、ストッパは引出部の先端面を複数切り込みして突出される複数の突片であることを特徴とする収納ケ−ス。
【請求項５】
請求項２記載の収納ケースにおいて、ストッパは引出部の先端面をケ−ス本体部の底面に向けて突出される筋押部から形成されることを特徴とする収納ケ−ス。
【請求項６】
請求項１記載の収納ケースにおいて、スペ−サ構造は引出部とケ−ス本体部の摺動面に設けられるガイド部であることを特徴とする収納ケ−ス。
【請求項７】
請求項６記載の収納ケースにおいて、ガイド部は引出部の摺動面側をケ−ス本体部の内面に向けて突出される筋押部であることを特徴とする収納ケ−ス。
【請求項８】
請求項６記載の収納ケースにおいて、ガイド部は引出部の摺動面側をケース本体部の内面に向けて突出される切起片であることを特徴とする収納ケース。
【請求項９】
請求項１から８のいずれか記載の収納ケースにおいて、引出部は出没方向に対する幅がケース本体部の幅の８０％〜４０％に形成されていることを特徴とする収納ケース。
【請求項１０】
請求項１記載の収納ケースにおいて、ヒンジ部には折線と平行な複数の曲げ案内帯部が設けられていることを特徴とする収納ケース。
【請求項１１】
請求項１０記載の収納ケースにおいて、曲げ案内帯部は切込み溝形に設けられていることを特徴とする収納ケース。
【請求項１２】
収納物が収納されるケース本体部と、ケース本体部を開閉する蓋部と、ケース本体部に収納される収納物を保持し蓋部の開閉動作に応動して収納物をケース本体部に対して出没される引出部と、共通材である蓋部と引出部との間に設けられ引出部が蓋部に支持される折線のヒンジ部とを備えた収納ケースにおいて、
ヒンジ部に隣接した引出部側にヒンジ部の折線と平行な複数の折線の曲げ案内帯部が設けられ、曲げ案内帯部は切込み溝形に設けられていることを特徴とする収納ケース。
【発明の詳細な説明】
【技術分野】
【０００１】
本発明は、ＣＤやＤＶＤ等の薄性の収納物を収納する収納ケースに係る技術分野に属する。
【背景技術】
【０００２】
従来、ＣＤ、ＤＶＤ等の記録媒体であるディスク類のための収納ケースにおいて、収納物であるディスク類になるべく手を触れずに出入れできるよう、工夫がされてきた。例として、以下に記載のものが知られている。
【特許文献１】特開平５−３５１０７号公報
【特許文献２】特開２０００−１７７７８７号公報
【０００３】
特許文献１、特許文献２には、収納物が収納されるケース本体部と、ケース本体部を開閉する蓋部と、ケース本体部に収納された収納物を保持し蓋部の開閉動作に応動して収納物をケース本体部の外部に出没させる引出部と、共通材である蓋部と引出部の基端面との間に設けられ引出部が蓋部に支持される折線のヒンジ部とを備えた収納ケースが記載されている。ヒンジ部を中心とする蓋部と引出部の回転動作により引出部をケース本体部の内部でスライドさせるような引出しを構成することによって、収納物になるべく手を触れずに収納ケースに出入れすることができるようにしている。
【０００４】
また、特許文献１、特許文献２に係る収納ケースでは、蓋部、引出部、ケース本体部を紙材等の共通材で折曲げ加工等により形成可能にすることで、製造の容易性を指向している。
【発明の開示】
【発明が解決しようとする課題】
【０００５】
特許文献１、特許文献２に係る従来の収納ケースでは、ケース本体部の内部で引出部がスライドする際に、蓋部の開閉方向と引出部のスライド方向とが交差しているため、引出部がケース本体部の内部両面で擦れ易くなる。ＣＤ等の記録媒体である収納物を保護するため、ケース本体部の内部で引出部がスムーズにスライドすることが望ましい。
【０００６】
さらに、収納物に厚みがある場合、即ち、収納物が複数枚のＣＤである場合やＣＤの付属物（解説の小冊子等）を含む場合等には、収納物を本体部に収納することが困難となる。さらに、収納物を本体部に無理に収納した場合、ヒンジ部の機能（回転動）が喪失されてしまう。
【０００７】
また、蓋部を開閉する際、引出部の先端面にヒンジ部を介したテコの作用が生じるため、ＣＤ等の記録媒体である収納物の外周部をこのテコの作用による衝撃から保護する必要がある。
【０００８】
本発明は、このような各種問題点を考慮し、比較的厚みのある収納物を収納可能で、収納物に対して衝撃を与えない引出し式の収納ケースを提供することを目的とする。
【課題を解決するための手段】
【０００９】
前述の課題を解決するため、本発明に係る収納ケースは、次のような手段を採用する。
【００１０】
即ち、請求項１では、収納物が収納されるケース本体部と、ケース本体部を開閉する蓋部と、ケース本体部に収納される収納物を保持し蓋部の開閉動作に応動して収納物をケース本体部に対して出没させる引出部と、共通材である蓋部と引出部との間に設けられ引出部が蓋部に支持される折線のヒンジ部とを備えた収納ケースにおいて、ケース本体部と引出部の接触面の一方または双方にケース本体部と引出部の間にクリアランスを確保するスペーサ構造が設けられていることを特徴とする。
【００１１】
この手段では、ケース本体部に対して引出部がスペーサ構造によってクリアランス（例えば、空間、空隙等）が確保され、接触面の摩擦面積が減少されて摩擦抵抗が低下し、スムーズな出没がなされる。
【００１２】
また、請求項２では、請求項１記載の収納ケースにおいて、スペーサ構造は引出部の先端面とケース本体部の底面との間で突出するストッパであることを特徴とする。
【００１３】
この手段では、蓋部を閉めて引出部をケース本体部の内部に収納したときにスペーサがケース本体部の底面に当接し、没入時の引出部の底面への直接当接が阻止される。
【００１４】
また、請求項３では、請求項２記載の収納ケースにおいて、ストッパは引出部の先端面を切り込みして突出される突片であることを特徴とする。
【００１５】
この手段では、折り曲げ成形される引出部の先端面を折り曲げ成形する際に、切り込み部分を折り曲げしないことで突片が突出し、スペーサが提供される。
【００１６】
請求項４では、請求項２または３記載の収納ケースにおいて、ストッパは引出部の先端面を複数切り込みして突出される複数の突片であることを特徴とする。
【００１７】
この手段では、複数箇所の切り込みで複数のストッパを成形することができ、強固で安定した衝撃対応がなされる。
【００１８】
また、請求項５では、請求項２記載の収納ケースにおいて、ストッパは引出部の先端面をケース本体部の底面に向けて突出される筋押部から形成されることを特徴とする。
【００１９】
この手段では、筋押しのみによってストッパが形成され、筋押しの突出クリアランスによって底面への直接当接が阻止される。
【００２０】
また、請求項６では、請求項１記載の収納ケースにおいて、スペーサ構造は引出部とケース本体部の摺動面に設けられるガイド部であることを特徴とする。
【００２１】
この手段では、ケース本体部の内部で引出部がスペーサ構造をガイドとして案内され、スライド抵抗を減少させる。また、蓋部の開閉方向と交差する引出部のスライドは、スペーサ構造による部分的な接触ないし当接によってケース本体部の内部との間で緩和される。
【００２２】
また、請求項７では、請求項６記載の収納ケースにおいて、ガイド部は引出部の摺動面側をケース本体部の内面に向けて突出される筋押部であることを特徴とする。
【００２３】
この手段では、ケース本体部の内部で引出部が筋押部を介して案内され、筋押部の接触によって摺動面積を少なくし、スライド抵抗を減少させる。
【００２４】
また、請求項８では、請求項６記載の収納ケースにおいて、ガイド部は引出部の摺動面側をケース本体部の内面に向けて突出される切起片であることを特徴とする。
【００２５】
この手段では、ケース本体部の内部で引出部が切起片を介して案内され、切起片の接触によって摺動面積を少なくし、スライド抵抗を減少させる。
【００２６】
また、請求項９では、請求項１から８のいずれか記載の収納ケースにおいて、引出部は出没方向に対する幅がケース本体部の幅の８０％〜４０％に形成されていることを特徴とする。
【００２７】
この手段では、引出部の細幅によって収納ケースの内部への摺動面積が少なくなりスライド抵抗が減少する。
【００２８】
また、請求項１０では、請求項１記載の収納ケースにおいて、ヒンジ部には折線と平行な複数の曲げ案内帯部が設けられていることを特徴とする。
【００２９】
この手段では、曲げ案内帯部によってヒンジ部の回転動が促進される。厚みのある収納物に対しては曲げ案内帯部が先行して折り曲げされてヒンジ部が回転動作する。
【００３０】
また、請求項１１では、請求項１０記載の収納ケースにおいて、曲げ案内帯部は切込み溝形に設けられていることを特徴とする。
【００３１】
この手段では、切込み溝を介して収納物の厚みに応じて曲げが許容され、切込み溝の空隙に圧縮面域が吸収される。
【００３２】
また、請求項１２では、収納物が収納されるケース本体部と、ケース本体部を開閉する蓋部と、ケース本体部に収納される収納物を保持し蓋部の開閉動作に応動して収納物をケース本体部に対して出没される引出部と、共通材である蓋部と引出部との間に設けられ引出部が蓋部に支持される折線のヒンジ部とを備えた収納ケースにおいて、ヒンジ部に隣接した引出部側にヒンジ部の折線と平行な複数の折線の曲げ案内帯部が設けられ、曲げ案内帯部は切込み溝形に設けられていることを特徴とする。
【００３３】
この手段では、ケース本体部に対して引出部が曲げ案内帯部によって収納物の厚さに対応して曲げ変形することで収納され、引出しされる。
【発明の効果】
【００３４】
本発明に係る請求項１記載の収納ケースは、ケース本体部の内部において、引出部の先端面との間のスペーサ構造によりケース本体部と引出部とのクリアランスが確保され、摺動面積を減少させてスライド抵抗を抑えることができるうえに、ケース本体部と引出部との収納時における衝突の衝撃を緩衝することができる。
【００３５】
また、本発明に係る請求項１２記載の収納ケースは、曲げ案内帯部が収納物の厚さに対応して曲げ変形するので、ヒンジ部の機能を阻害することがなく、引出し式を維持しつつ収納部の薄厚に対応して収納することができる効果がある。
【発明を実施するための最良の形態】
【００３６】
以下、本発明に係る収納ケースを実施するための最良の形態を図面に基づいて説明する。第１例、第２例、第３例としては、紙材等の共通材Ｐで折曲げ加工等により形成されるものを示す。
【００３７】
以下、本発明に係る収納ケースを実施するための最良の形態の第１例を図１〜図５に基づいて説明する。図１は蓋部開放時の斜視図、図２は展開図、図３は蓋部閉鎖時の断面図、図４は蓋部開放時の図１のＸ方向の断面図であり、図５は蓋部開放時の図１のＹ方向の断面図である。
【００３８】
収納ケース１００は、ケース本体部１、蓋部２、引出部３、ヒンジ部４により構成される。引出部３は、蓋部２の開閉動作に応動してケース本体部１の内部をスライドする。蓋部閉鎖時には、ケース本体部１に収納物Ｄを収納した状態で保持し、蓋部開放時には、収納物Ｄをケース本体部１の外部へと引き出す。ヒンジ部４は、蓋部２と引出部３の間に設けられ、蓋部２の開閉動作に連動して引出部３を支持する。ヒンジ部４は折線５を備え、折線５には切込溝６０を備えた曲げ案内帯部６を加えて構成されている。
【００３９】
ケース本体部１は、図２の折曲線１７、１８、１９から折り曲げされ、本体表面１０、本体底面１１、本体裏面１２、本体側面１３により薄箱形に形成される。図１に示すように、ケース本体部１には収納物Ｄが出入れされる出入れ口１６が開口され、必要に応じて収納物Ｄを取出し易くする窓部１５を設ける。
【００４０】
蓋部２は、折れ線２３で折り曲げられ、蓋表面２０、蓋裏面２１の積層による板片形に形成されている。蓋部２には折り返した蓋裏面２１を短くして出入口１６に近接する部位を蓋表面２０のみの薄肉面２２を形成し、薄肉面２２をヒンジ機能部分として形成している。
【００４１】
引出部３は、折線３３、３４で折り曲げられ、基端面３０と先端面３１と折返片３２とから側面視略々コ字形に形成されている。折返片３２は円弧状に形成される。
【００４２】
引出部３は、図２に示すように、引出方向Ａに対する幅ａを、ケース本体部１の幅ｂよりも小さくし、ケース本体部１の内部での引出部３との摺動面積を減少させることが望ましい。引出部３の幅ａがケース本体部１の幅ｂの８０％〜４０％の範囲とする。好ましくは、幅ａは幅ｂに対して７０％〜５０％の範囲とし、収納物の保持性をも考慮して決定する。この第１例では、幅ａは幅ｂの約５０％として実施した。
【００４３】
また、引出部３については、先端面３１における引出部３の幅が基端面３０の幅よりも広くして保持性を向上させる。基端面３０においてはヒンジ部４側に近付くにつれて狭くし、操作性を向上させる構成とする。
【００４４】
次に、ケース本体部１と引出部３との間に、スペーサ構造を構成するためにスペーサ７、８を設け、クリアランスＣを確保する。
【００４５】
スペーサ７は、引出部３の基端面３０と折返片３２に、線条に筋押して形成される筋押部７Ａ、７Ｂ、７Ｃから成る。筋押部７Ａ、７Ｂは引出部３の基端面３０に引出方向Ａに向けて複数条が延長され、且つケース本体部１の本体裏面１２に向けて突出されている。筋押部７Ａ、７Ｂは引出方向Ａへの突条によって直線案内性の向上と幅方向への振れ阻止とが図られる。
筋押部７Ａは筋押部７Ｂの両外側に配列され、ヒンジ部４に向けて筋押部７Ｂよりも長く形成されている。また、筋押部７Ｃは、引出部３の折返片３２に幅方向に向けて弧状に配置され、且つケース本体部１の本体表面１０に向けて突出され、折返片３２に幅方向へわたる安定性を付与している。
【００４６】
また、スペーサ８は、引出部３の先端面３１とケース本体部１の底面１１との間に設けられた突出片からなる。スペーサ８は、引出部３の先端面３１に折線３３に近接して設けられた切込線から構成でき、先端面３１を折り返した際に折線３３から切込線に沿って突出片形に突出させる。図１に示すように、スペーサ８は一対とし、好ましくはスペーサ７Ａ、７Ｂの延長線上に配置される。
【００４７】
第１例では、外観を損なわないために、スペーサ７、８を引出部３側のみに設置し、ケース本体部１側には設置していない。しかしながら、必要に応じてケース本体部１に、また、ケース本体部１と引出部３の両方に、スペーサ７を設置することも可能である。
【００４８】
次に、ヒンジ部４は、蓋部２と引出部３の間に共通材Ｐとして連続して設けられ、引出方向Ａに対して幅方向に延びる複数の折線４０を備えている。ヒンジ部４は、蓋部２に近接し、折線５に平行してあるいは重なって切込溝６０が切込みされている。切込溝６０は複数条設けることができ、これら切込溝６０が集合して曲げ案内部６が構成される。
【００４９】
曲げ案内帯部６の切込溝６０は、ヒンジ部４の折線５と平行に設けられる。曲げが必要な部位のみに選択的に配置することが可能であり、収納物Ｄの厚さにより切込溝６０の本数を調整することが可能である。この切込溝６０は、蓋部２の閉止面側に向けて断面視Ｖ字型の溝に形成され、蓋部閉止時の圧縮を吸収する構成である。曲げ案内帯部６には、ヒンジ部４の折線５と平行に少なくとも２本の切込溝６０を設けている。２本の切込溝６０は収納物Ｄを収納したときに厚みに応じて曲げが許容される位置に配置されている。
【００５０】
曲げ案内帯部６は、収納物Ｄが引出部３に保持されてケース本体部１に収納されるときに、折線５に沿って折れて収納物Ｄの厚さに対応して曲げられ、曲げ案内帯部６の曲げ変形を補助する。そのため、収納物Ｄが比較的厚みのある収納物であっても、ケース本体部１への収納が可能になる。また、曲げ案内帯部６は、収納物Ｄの厚さに対応して曲げ変形するため、収納された収納物Ｄのケース本体部１内で収納物Ｄに対するクッション機能を果たし、収納物Ｄのガタツキを抑制する。よって、曲げ案内帯部６によって、ケース本体部１に収納された際の収納物Ｄに対する保護性能が高くなる。
【００５１】
収納物Ｄを出入れする際には、図４に示すように、蓋部２を開放または閉止して引出部３を引き出す。
蓋部２の開放時は、ヒンジ部４を介して引出部３の引出しがなされる。このとき、蓋部２の回動に伴って、曲げ変形している曲げ案内帯部６が折線５に沿って徐々に伸展し、収納物Ｄがケース本体部１に無理に押付けられたりすることがなく、これに加えて、切込溝６０のＶ字型の溝が開放されるので、ヒンジ部４の回動の機能が保障される。
【００５２】
このとき、上記のスペーサ構造の幅ａがケース本体部１の幅ｂの約５０％の細幅に形成されていることに加えて、折返片３２によるケース本体部１に対する引掛かりが防止されることや、ケース本体部１に窓部１５が設けられていることにより、ケース本体部１と引出部３の摺動面積が一層減少される。また、引出部３のスペーサ７によってケース本体部１、引出部３の摺動面積が減少されるうえに、スペーサ８によって収納物Ｄの収納時のケース本体部１と引出部３との衝突の衝撃を緩衝する。
【００５３】
また、収納物Ｄが１枚のＣＤのように厚さが薄い場合には、薄さに対応して折線５の曲げが許容されるので、何等支障なく使用することができる。
【００５４】
次に、本発明に係る収納ケースを実施するための最良の形態の第２例について説明する。図６〜図８は、第２例を示すものである。図６は蓋部開放時の斜視図であり、図７は展開図であり、図８は蓋部閉鎖時の図６のＸ方向の断面図である。
【００５５】
この第２例では、スペーサ構造として、上述の第１例と同様のスペーサ８、突片状の突起であるスペーサ９Ａ、切起片であるスペーサ９Ｂ、スペーサ９Ｃを備える収納ケース１００Ａに係る実施形態である。なお、その他の構成は上述の第１例と同様である。
【００５６】
スペーサ９Ａは、図７に示すように、引出部３の先端面３１の折曲線３４に沿って湾曲突出する切込線３５から構成され、引出部３の折返片３２を折り返す際に、折返片３２を折り返した方向の逆方向に切込み部を突出させたものである。スペーサ８、９Ａは先端面３１の上下から略々同寸法だけ突出されている。スペーサ９Ｂは、引出部３の基端面３０の切取線３６上の長方形型の切起片で、ケース本体部１の裏面１２に向けて折返して突出させている。スペーサ９Ｃは引出部３の折返片３２の外側に飛び出した半円形の切起片で、ケース本体部１の表面１０に向けて折返して突出させている。
【００５７】
図８に示すように、スペーサ８、９Ａは引出部３の先端面３１と本体底面１１との間に、スペーサ９Ｂは引出部３と本体裏面１２との間に、また、スペーサ９Ｃは引出部３と本体表面１０との間に、それぞれクリアランスＣを確保している。このため、ケース本体部１、引出部３の摺動面積が減少されて引出部３のスライドが円滑に奏される。また、スペーサ８、スペーサ９Ａは、収納物Ｄの収納の際にケース本体部１、収納物Ｄ（引出部３）の衝突の衝撃を緩衝する働きもする。なお、第２例では、引出部３を安定されて開閉させるために、スペーサ８、９Ｂ、９Ｃをそれぞれ一対ずつ設けている。
【００５８】
よって第２例では、スペーサ８、９Ａのスペーサ構造が設けられているため、収納物Ｄの収納の際のケース本体部１と引出部３の先端面３１の上下側からの衝突の衝撃が緩和される。また、引出部３にスペーサ９Ｂ、９Ｃのスペーサ構造が設けられているため、ケース本体部１、引出部３の摺動面積が減少されて、収納物Ｄ（引出部３）のスライドが円滑に奏される。特に、スペーサ９Ｃによって引出時における折返片３２の引っ掛かりが阻止される。
【００５９】
さらに、本発明に係る収納ケースを実施するための最良の形態の第３例について説明する。図９〜図１１は、第３例を示すものである。図９は蓋部開放時の斜視図、図１０は展開図、図１１は蓋部閉鎖時の図９のＸ方向の断面図である。
【００６０】
この第３例は、上述の第１例、第２例で用いているようなスペーサ構造を持たないシンプルな収納ケース１００Ｂに係る実施形態である。なお、その他の構成は上述の第１例と同様である。
【００６１】
引出部３の基端面３０は、引出方向Ａに対する幅ａを一定に保っている。ケース本体部１に係止用差込口２４を設けているので、蓋部閉止時に、蓋部２を係止用差込口２４に差込み係止させることで、蓋部２を固定することができる。また、蓋部２の折曲線２３に、図１０に示されるような切込みを入れることにより、蓋部の角部に丸みをもたせている。
【００６２】
上述した１〜３例のほかに、曲げ案内帯部６の切込溝６０を筋押溝、ミシン目などと組み合わせて構成することも可能である。また、引出部３の先端面３１に曲げ案内帯部６を設けることにより、収納ケースの収納物へのクッション性を高めることも可能である。
【００６３】
また、突片状の突起であるスペーサ８の代わりに、引出部３の先端面３１に筋押によるスペーサ構造を設けることも可能である。筋押によるスペーサ８は本体底面１１に向けて突出される。筋押は上下方向へ向けて延長されることが望ましい。
【００６４】
また、ケース本体部１と蓋部２、引出部３とを別材料で形成することも可能である。
【産業上の利用可能性】
【００６５】
収納物ＤがＣＤ以外のものについても収納することが可能である。
【図面の簡単な説明】
【００６６】
【図１】本発明に係る収納ケースを実施するための最良の形態の第１例を示す斜視図である。
【図２】本発明に係る収納ケースを実施するための最良の形態の第１例を示す展開図である。
【図３】本発明に係る収納ケースを実施するための最良の形態の第１例の閉鎖状態を示す図１のＸ方向の断面図である。
【図４】本発明に係る収納ケースを実施するための最良の形態の第１例の開放状態を示す図１のＸ方向の断面図である。
【図５】本発明に係る収納ケースを実施するための最良の形態の第１例の開放状態を示す図１のＹ方向の断面図である。
【図６】本発明に係る収納ケースを実施するための最良の形態の第２例を示す斜視図である
【図７】本発明に係る収納ケースを実施するための最良の形態の第２例を示す展開図である。
【図８】本発明に係る収納ケースを実施するための最良の形態の第２例の蓋部閉鎖状態を示す図６のＸ方向の断面図である。
【図９】本発明に係る収納ケースを実施するための最良の形態の第３例を示す斜視図である。
【図１０】本発明に係る収納ケースを実施するための最良の形態の第３例を示す展開図である。
【図１１】本発明に係る収納ケースを実施するための最良の形態の第３例の閉鎖状態を示す図９のＸ方向の断面図である。
【符号の説明】
【００６７】
１００、１００Ａ、１００Ｂ  収納ケース
１                          ケース本体部
２                          蓋部
３                          引出部
４                          ヒンジ部
５                          折線
６                          曲げ案内帯部
７Ａ、７Ｂ、７Ｃ            スペーサ
８                          スペーサ
９Ａ、９Ｂ、９Ｃ            スペーサ
１０                        本体表面
１１                        本体底面
１２                        本体裏面
１３                        本体側面
１４                        本体側面
１５                        窓部
１６                        出入口
１７                        折曲線
１８                        折曲線
１９                        折曲線
２０                        蓋表面
２１                        蓋裏面
２２                        蓋肉薄面
２３                        折曲線
２４                        係止用差込口
３０                        基端面
３１                        先端面
３２                        折返片
３３                        折曲線
３４                        折曲線
３５                        切込線
３６                        切取線
４０                        折線
６０                        切込溝
Ａ                          引出方向
Ｃ                          クリアランス
Ｄ                          収納物
Ｐ                          共通材
【図１】
2005088956.tif 000003
【図２】
2005088956.tif 000004
【図３】
2005088956.tif 000005
【図４】
2005088956.tif 000006
【図５】
2005088956.tif 000007
【図６】
2005088956.tif 000008
【図７】
2005088956.tif 000009
【図８】
2005088956.tif 000010
【図９】
2005088956.tif 000011
【図１０】
2005088956.tif 000012
【図１１】
2005088956.tif 000013